(57)【要約】【課題】音声通話による詐欺被害が生じる可能性を低減した電話機を実現する。【解決手段】電話機（１）は、通話相手の音声から特徴量を抽出する特徴量抽出部（１００）と、抽出された特徴量と登録された特徴量との類似度を算出する類似度算出部（１０２）とを備える。電話機（１）では、算出された類似度が、所定の類似度以下のときに表示制御部（１０８）が注意喚起画面を表示し、切替部（１０６）が通話モードをハンズフリー通話モードに切り替える。【選択図】図１
2014045454.tif 000002
【特許請求の範囲】
【請求項１】
通話相手の音声から個人性特徴量を抽出する特徴量抽出手段と、
上記特徴量抽出手段によって抽出された個人性特徴量と、登録済の個人性特徴量との類似度を算出する類似度算出手段と、
ユーザに警告を報知する報知手段と、
通話モードをハンズフリー通話モードに切り替える切替手段と、を備え、
上記類似度算出手段によって算出された類似度が、予め定められた類似度以下であるときに、上記報知手段がユーザに警告を報知すると共に、上記切替手段が通話モードをハンズフリー通話モードに切り替える、ことを特徴とする電話機。
【請求項２】
表示部を更に備えており、
上記報知手段は、注意喚起画面を上記表示部に表示させることによってユーザに警告を報知する、
ことを特徴とする請求項１に記載の電話機。
【請求項３】
上記報知手段は、上記注意喚起画面内に、詐欺対策マニュアルを表示する、
ことを特徴とする請求項２に記載の電話機。
【請求項４】
上記報知手段は、上記注意喚起画面内に、上記類似度算出手段によって算出された類似度を表示する、
ことを特徴とする請求項２または３に記載の電話機。
【請求項５】
上記報知手段は、当該電話機を振動させることによってユーザに警告を報知する、
ことを特徴とする請求項１から４の何れか１項に記載の電話機。
【請求項６】
上記報知手段は、マイク機能をミュートにしたうえで、音声によりユーザに警告を報知する、
ことを特徴とする請求項１から５の何れか１項に記載の電話機。
【請求項７】
通話相手の音声から個人性特徴量を抽出する特徴量抽出工程と、
上記特徴量抽出工程にて抽出された個人性特徴量と、登録済の個人性特徴量との類似度を算出する類似度算出工程と、
ユーザに警告を報知する報知工程と、
通話モードをハンズフリー通話モードに切り替える切替工程と、を含み、
上記類似度算出工程にて算出された類似度が、予め定められた類似度以下であるときに、上記報知工程にてユーザに警告を報知すると共に、上記切替工程にて通話モードをハンズフリー通話モードに切り替える、ことを特徴とする電話機制御方法。
【請求項８】
請求項１から６の何れか１項に記載の電話機が備えている各手段としてコンピュータを動作させるためのプログラム。
【請求項９】
請求項８に記載のプログラムを記録しているコンピュータ読取可能な記録媒体。
【発明の詳細な説明】
【技術分野】
【０００１】
本発明は、通話による詐欺被害が生じる可能性を低減した電話機、および、このような電話機を制御する電話機制御方法に関する。更に、このような電話機としてコンピュータを動作させるプログラム、および、このようなプログラムが記録されている記録媒体に関する。
【背景技術】
【０００２】
近年、携帯電話の進展は著しく、携帯電話は老若男女に関わらず普及している。これにより、携帯電話を用いた音声通話による振り込め詐欺等の被害が、高齢者の間で多発している。このような振り込め詐欺等の通話による詐欺被害から高齢者を護るべく、特許文献１には、電話機のユーザの近親者等の個人性特徴量を予め抽出して電話機に登録しておき、通話相手（ユーザに架電した人物、または、ユーザが架電した人物）が電話機に登録されている登録者か非登録者かを判定し、判定結果をＬＥＤの点灯、または、音声案内によりユーザに報知する技術が開示されている。
【０００３】
また、特許文献２には、表示部を有する携帯電話を用いた音声通話中に、表示部を操作する他のアプリケーションを起動させた場合に、自動的に通話モードがハンズフリー通話モードに切り替わる携帯電話が開示されている。
【先行技術文献】
【特許文献】
【０００４】
【特許文献１】特開２００８−２７１５９０号公報（公開日：２００８年１１月６日）
【特許文献２】特開２００３−３１９０６２号公報（公開日：２００３年１１月７日）
【発明の概要】
【発明が解決しようとする課題】
【０００５】
しかしながら、特許文献１に記載の技術では、通話相手が知人であるかも知れないと混乱しているユーザは、冷静な判断を下すことが困難であるため、このＬＥＤの点灯による報知のみでは不十分である。また、特許文献１に記載の技術を携帯電話機に適用した場合、携帯電話機に内蔵されたＬＥＤを点灯させるなどしても、携帯電話機を耳元に保持して通話しているユーザは、これを認識することができない。また、ユーザは通話相手との対応に精一杯であるため、単なる音声案内による注意喚起をしたところで、ユーザを振り込め詐欺等の通話による詐欺被害から護ることは困難である。
【０００６】
また、特許文献２に関する技術では、通話モードがハンズフリー通話モードに切り替わることにより、ユーザが自身の手を用いて携帯電話の表示部を操作することが可能になるが、ユーザを振り込め詐欺等の通話による詐欺被害から護ることに関しては全く考慮されていない。
【０００７】
本発明は、上記の課題を鑑みて為されてものであり、その目的は、振り込め詐欺等の音声通話による詐欺被害が生じる可能性を低減した電話機、および、電話機制御方法を提供することである。
【課題を解決するための手段】
【０００８】
また、上記の課題を解決するために、本発明の一態様に係る電話機は、通話相手の音声から個人性特徴量を抽出する特徴量抽出手段と、上記特徴量抽出手段によって抽出された個人性特徴量と、登録済の個人性特徴量との類似度を算出する類似度算出手段と、ユーザに警告を報知する報知手段と、通話モードをハンズフリー通話モードに切り替える切替手段と、を備え、上記類似度算出手段によって算出された類似度が、予め定められた類似度以下であるときに、上記報知手段がユーザに警告を報知すると共に、上記切替手段が通話モードをハンズフリー通話モードに切り替える、ことを特徴としている。
【０００９】
また、上記の課題を解決するために、本発明の一態様に係る電話機制御方法は、通話相手の音声から個人性特徴量を抽出する特徴量抽出工程と、上記特徴量抽出工程にて抽出された個人性特徴量と、登録済の個人性特徴量との類似度を算出する類似度算出工程と、ユーザに警告を報知する報知工程と、通話モードをハンズフリー通話モードに切り替える切替工程と、を含み、上記類似度算出工程にて算出された類似度が、予め定められた類似度以下であるときに、上記報知工程にてユーザに警告を報知すると共に、上記切替工程にて通話モードをハンズフリー通話モードに切り替える、ことを特徴としている。
【発明の効果】
【００１０】
上記のように構成された電話機および電話機制御方法によれば、通話相手に誘導されてしまい冷静に対応できなくなってしまう、振り込め詐欺等の音声通話による詐欺被害が生じる可能性を低減することができる。
【図面の簡単な説明】
【００１１】
【図１】本発明の一実施形態に係る電話機のブロック図である。
【図２】本発明の一実施形態に係る電話機の表示部に示された注意喚起画面の一例であるハンズフリー通話モードへの移行報知画面である。
【図３】本発明の一実施形態に係る電話機の表示部に示された注意喚起画面の一例であるメニュー画面である。
【図４】本発明の一実施形態に係る電話機の表示部に示された注意喚起画面の一例である詐欺対策マニュアル画面である。
【図５】本発明の一実施形態に係る電話機の表示部に示された注意喚起画面の一例である個人性特徴量判定結果画面である。
【図６】本発明の一実施形態に係る電話機の表示部に示された注意喚起画面の一例であるスケジュール表示画面である。
【図７】本発明の一実施形態に係る電話機の表示部に示された注意喚起画面の一例であるメール表示画面である。
【図８】本発明の一実施形態に係る電話機の表示部に示された注意喚起画面の一例である音声録音再生画面である。
【図９】本発明の一実施形態に係る電話機の表示部に示された注意喚起画面の一例である警察への通報画面である。
【図１０】本発明の一実施形態に係る電話機制御方法を示すフローチャートである。
【発明を実施するための形態】
【００１２】
（電話機１）
本発明の一実施形態に係る電話機について、図１〜９を参照しながら、以下に説明する。
【００１３】
まず、各図面について簡単に説明すると、図１は、本実施形態に係る電話機１のブロック図を示している。図２〜図９は、本発明の一実施形態に係る電話機の表示部に示された注意喚起画面の一例である、ハンズフリー通話モードへの移行報知画面、メニュー画面、詐欺対策マニュアル画面、個人性特徴量判定結果画面、スケジュール表示画面、メール表示画面、音声録音再生画面、および、警察への通報画面をそれぞれ示している。
【００１４】
図１に示すように、電話機１は、主制御部１０、音声信号受信部１２、音声入力部（マイクロフォン）１４、操作部１６および１６’、表示部１８、および、音声出力部（スピーカー）２０を備えている。
【００１５】
（主制御部１０）
主制御部１０は、特徴量抽出部（特徴量抽出手段）１００、類似度算出部（類似度算出手段）１０２、判定部１０４、切替部（切替手段、報知手段）１０６、表示制御部（報知手段）１０８、および、音声録音再生部１１０を備えている。
【００１６】
（音声信号受信部１２）
音声信号受信部１２は、通話相手の音声信号＃ＶＳを受信すると、音声信号＃ＶＳを特徴量抽出部１００に送信する。
【００１７】
（操作部１６）
操作部１６は、電話機１に設けられているタッチパネル式ディスプレイ（図示せず）を構成する入力デバイス（タッチパネル）である。
【００１８】
（表示部１８）
表示部１８は、電話機１に設けられているタッチパネル式ディスプレイ（図示せず）を構成する表示デバイス（例えば、ＬＣＤ）である。
【００１９】
（特徴量抽出部１００）
特徴量抽出部１００は、音声信号受信部１２が送信した音声信号＃ＶＳを受信すると、音声信号＃ＶＳから通話相手の個人性特徴量を抽出し、抽出した通話相手の個人性特徴量を類似度算出部１０２に送信する。
【００２０】
（類似度算出部１０２）
類似度算出部１０２は、特徴量抽出部１００が送信した通話相手の個人性特徴量と、電話機１が備える記憶部（記録媒体）（図示せず）に予め登録されている１人以上の各登録者（例えば、ユーザの近親者、知人等）の個人性特徴量とを比較する。すなわち、類似度算出部１０２は、各登録者について、登録者の個人性特徴量と通話相手の個人性特徴量との類似度を算出する。そして、類似度算出部１０２は、最も類似度が高い登録者（以下、「対象登録者」と称する）に固有のＩＤと、対象登録者について算出した類似度と、を判定部１０４に送信する。ここで、上記記憶部は、電話機１の内部に備えられている内部記憶部（内部記録媒体）であってもよいし、電話機１の外部に外付けされている（備えられている）外部記憶部（外部記録媒体）であってもよい。
【００２１】
（判定部１０４）
判定部１０４は、類似度算出部１０２が対象登録者について算出した類似度が、予め定められた類似度（類似度閾値）以下であるか否かを判定し、判定結果を類似度およびＩＤとともに切替部１０６に送信する。
【００２２】
（切替部１０６）
切替部１０６は、判定部１０４が送信した判定結果に基づいて、類似度算出部１０２が対象登録者について算出した類似度が類似度閾値以下である場合に、類似度およびＩＤを表示制御部１０８に供給するとともに、電話機１における通話モードをハンズフリー通話モードに移行させる。
【００２３】
切替部１０６は、ハンズフリー通話モードに切り替える直前に、以下の（ｉ）〜（ｉｉｉ）の処理を順に実行する。
（ｉ）切替部１０６は、電話機１が備える振動部（図示せず）を用いて電話機１自体を振動させる。（ｉｉ）切替部１０６は、音声入力部（マイクロフォン）１４の感度をゼロに（すなわち、ミュート）し、電話機１を外部から集音不可能な状態にしたうえで、ハンズフリー通話モードへの切替を音声出力部（スピーカー）２０から自動音声アナウンスする。（ｉｉｉ）切替部１０６は、振り込め詐欺の疑いがあるためハンズフリー通話モードへ移行する旨を示した図２の注意喚起画面を表示部１８に表示するよう表示制御部１０８に対して指示する。
【００２４】
また、切替部１０６は、ハンズフリー通話モードへの移行完了後、図３のメニュー画面（後に詳細に説明する）を表示部１８に表示するよう表示制御部１０８に対して指示する。そして、切替部１０６は、電話機１をハンズフリー通話モードに適した状態にするために、音声入力部（マイクロフォン）１４および音声出力部（スピーカー）２０の感度を上げる。これにより、電話機１がユーザから離れた場所に位置している場合であっても、ユーザは通話相手との音声通話が可能になる。
【００２５】
（音声録音再生部１０６）
音声録音再生部１１０は、ユーザと通話相手の音声通話を録音および再生する。
【００２６】
（表示制御部１０８）
表示制御部１０８は、通話相手と冷静に会話をするように促すための様々な注意喚起画面を表示部１８に表示する。
【００２７】
（表示部１８に表示される様々な注意喚起画面について）
上述のように、表示部１８は、ユーザに、通話相手と冷静に会話をするように促すために、図２に示す注意喚起画面を表示する。ユーザは、この注意喚起画面をタッチすることによって、表示部１８に図３に示すメニュー画面を表示させることが可能である。また、これに限らず、表示部１８が図２に示す注意喚起画面を表示した後に、所定の時間が経過したと表示制御部１０８が判断すると、表示制御部１０８は、表示部１８に自動的に図３に示すメニュー画面を表示させてもよい。なお、上記所定の時間に関しては、ユーザが、表示制御部１０８に対して予め設定しておくことができる。
【００２８】
（表示部１８に表示されるメニュー画面）
図３に示すように、図３のメニュー画面には、「対策マニュアルを表示」ボタン１６ａ、「分析データを表示」ボタン１６ｂ、「スケジュールを表示」ボタン１６ｃ、「メールを表示」ボタン１６ｄ、「音声を録音再生」ボタン１６ｅ、および、「通報する」ボタン１６ｆの６種類のメニューボタンが含まれている。
【００２９】
（メニュー画面の「対策マニュアルを表示」ボタン１６ａをタッチ）
表示部１８に示された図３のメニュー画面を視認したユーザが「対策マニュアルを表示」ボタン１６ａをタッチ（押下）した場合、操作部１６が、ユーザが「対策マニュアルを表示」ボタン１６ａをタッチしたことを示す信号＃１６ａを表示制御部１０８に送信する。表示制御部１０８は、信号＃１６ａを受信すると、図４に示す注意喚起画面、すなわち「振り込め詐欺対策マニュアル」画面を表示部１８に表示させる。上述のように、電話機１の通話モードはハンズフリー通話モードであるため、ユーザは、電話機１の表示部１８に表示された「振り込め詐欺対策マニュアル」画面を視認しながら、冷静に、且つ、客観的に通話相手と会話を優勢に進めることができるようになる。
【００３０】
（メニュー画面の「類似度を表示」ボタン１６ｂをタッチ）
表示部１８に示された図３のメニュー画面を視認したユーザが「類似度を表示」ボタン１６ｂをタッチした場合、操作部１６が、ユーザが「類似度を表示」ボタン１６ｂをタッチしたことを示す信号＃１６ｂを表示制御部１０８に送信する。表示制御部１０８は、信号＃１６ｂを受信すると、切替部１０６から受け取った類似度を用いて、図５に示す注意喚起画面、すなわち「個人性特徴量判定結果」画面を表示部１８に表示させる。上述のように、電話機１の通話モードは、ハンズフリー通話モードであるため、ユーザは、電話機１の表示部１８に表示された「個人性特徴量判定結果」画面を視認することによって、通話相手による振り込め詐欺の被害に遭遇する可能性が存在することを予め認識しておくことができる。
【００３１】
（メニュー画面の「スケジュールを表示」ボタン１６ｃをタッチ）
表示部１８に示された図３のメニュー画面を視認したユーザが「スケジュールを表示」ボタン１６ｃをタッチした場合、操作部１６が、ユーザが「スケジュールを表示」ボタン１６ｃをタッチしたことを示す信号＃１６ｃを表示制御部１０８に送信する。表示制御部１０８は、信号＃１６ｃを受信すると、切替部１０６から受け取ったＩＤに基づいて、図６に示す注意喚起画面を表示させる。すなわち、表示制御部１０８は、対象登録者のスケジュールを示す「スケジュール表示」画面を表示部１８に表示させる。上述のように、電話機１の通話モードはハンズフリー通話モードであるため、ユーザは、電話機１の表示部１８に表示された「スケジュール表示」画面を視認している。したがって、例えば、通話相手が対象登録者の名を名乗った場合に、ユーザは、「スケジュール表示」画面に関連した質問等を通話相手に為すことによって、通話相手が本当に対象登録者本人であるか否かを判断することができるようになる。
【００３２】
（メニュー画面の「メールを表示」ボタン１６ｄをタッチ）
表示部１８に示された図３のメニュー画面を視認したユーザが「メールを表示」ボタン１６ｄをタッチした場合、操作部１６が、ユーザが「メールを表示」ボタン１６ｄをタッチしたことを示す信号＃１６ｄを表示制御部１０８に送信する。表示制御部１０８は、信号＃１６ｄを受信すると、判定部１０４から受け取ったＩＤに基づいて、図７に示す注意喚起画面を表示部に表示させる。すなわち、表示制御部１０８は、対象登録者との間で送受信されたメールの内容が示された「メール表示」画面を表示部１８に表示させる。上述のように、電話機１の通話モードはハンズフリー通話モードであるため、ユーザは、電話機１の表示部１８に表示された「メール表示」画面を視認している。したがって、例えば、通話相手が対象登録者の名を名乗った場合に、ユーザは、通話相手に「メール表示」画面に関連した質問等をすることによって、通話相手が本当に対象登録者本人であるか否かを判断することができるようになる。
【００３３】
（メニュー画面の「音声を録音再生」ボタン１６ｅをタッチ）
表示部１８に示された図３のメニュー画面を視認したユーザが「音声を録音再生」ボタン１６ｅをタッチした場合、操作部１６が、ユーザが「音声を録音再生」ボタン１６ｅをタッチしたことを示す信号＃１６ｅを表示制御部１０８に送信する。表示制御部１０８は、信号＃１６ｅを受信すると、図８に示す注意喚起画面を表示部１８に表示させる。
【００３４】
ここで、図８に示すように、図８に示す注意喚起画面、すなわち「音声録音再生」画面には、ボリュームバー１６ｇ、録音ボタン１６ｈ、再生ボタン１６ｉ、および、停止ボタン１６ｊの３種類のボタンおよび１種類のバーが含まれている。
【００３５】
ユーザは、通話相手との会話を録音する場合、ユーザが録音ボタン１６ｈをタッチする。録画ボタン１６ｈがタッチされると、音声録音再生部１１０は、会話の録音を開始する。具体的には、ユーザが録音ボタン１６ｈをタッチすると、操作部１６’が、ユーザが録音ボタン１６ｈをタッチしたことを示す信号＃１６ｈを音声録音再生部１１０に送信する。音声録音再生部１１０は、信号＃１６ｈを受信すると、ユーザと通話相手との会話を録音する。
【００３６】
ユーザは、音声録音再生部１１０に録音された、ユーザと通話相手との会話を再生する場合、ユーザが再生ボタン１６ｉをタッチする。再生ボタン１６ｉがタッチされると、音声録音再生部１１０は、会話の再生を開始する。具体的には、ユーザが再生ボタン１６ｉをタッチすると、操作部１６’が、ユーザが再生ボタン１６ｉをタッチしたことを示す信号＃１６ｉを音声録音再生部１１０に送信する。音声録音再生部１１０は、信号＃１６ｉを受信すると、ユーザと通話相手との録音済の会話を再生し、音声出力部（スピーカー）２０が当該録音済の会話を出力する。また、ユーザは、ユーザと通話相手との会話を再生する際に、当該会話の音量を増減させる場合、ボリュームバー１６ｇをスライドさせる。ボリュームバー１６ｇがスライドすると、音声録音再生部１１０は当該会話の音量の増減させる。具体的には、ユーザがボリュームバー１６ｇをスライドさせると、操作部１６’が、ユーザがボリュームバー１６ｇをスライドした程度を示す信号＃１６ｇを、主制御部１０が備える音量増減部（図示せず）に送信する。音量増減部は、信号＃１６ｇを受信すると、信号＃１６ｇが示す程度に応じて当該会話の音量を増減させる。
【００３７】
ユーザは、ユーザと通話相手との会話の録音を停止する場合、または、音声録音再生部１１０に録音された、ユーザと通話相手との会話の再生を停止する場合、停止ボタン１６ｊをタッチする。停止ボタン１６ｊがタッチされると、音声録音再生部１１０は、録音または再生を停止する。具体的には、停止ボタン１６ｊがタッチされると、操作部１６’が、ユーザが停止ボタン１６ｊをタッチしたことを示す信号＃１６ｊを音声録音再生部１１０に送信する。音声録音再生部１１０は、信号＃１６ｊを受信すると、ユーザと通話相手との会話の録音または再生を停止する。
【００３８】
上述のように、電話機１の通話モードはハンズフリー通話モードであるため、ユーザは、ユーザ自身の好きな時に、または、ユーザ自身に必要な時に「音声録音再生」画面を用いて、通話相手との会話の録音再生をすることができる。
【００３９】
（メニュー画面の「通報する」ボタン１６ａをタッチ）
表示部１８に示された図３のメニュー画面を視認したユーザが「通報する」ボタン１６ｆをタッチした場合、操作部１６が、ユーザが「通報する」ボタン１６ｆをタッチしたことを示す信号＃１６ｆを表示制御部１０８に送信する。表示制御部１０８は、信号＃１６ｆを受信すると、図９に示す注意喚起画面を表示部１８に表示させ、電話機１は、自動的に警察への通報を開始する。
【００４０】
（電話機１の奏する効果）
以上より、本実施形態に係る電話機１によれば、類似度算出部１０２によって対象登録者について算出された類似度が、予め定められた類似度以下であるときに、ユーザの意思と関係なく通話モードをハンズフリー通話モードに自動的に切り替える。したがって、電話機１を耳元に保持していたユーザは、電話機１の状態を確認すべく電話機１の表示部１８を見ながら通話を続けることになり、結果として、表示部１８に表示されている警告にも容易に気付くことになる。これにより、ユーザは、電話機１の有する表示部１８を視認しながら、表示部１８に記載されている情報に基づいて、通話相手との音声通話を冷静に、且つ、優勢に進めることができる。
【００４１】
したがって、上記のように構成された電話機１によれば、通話相手に誘導されてしまい冷静に対応できなくなってしまう、振り込め詐欺等の音声通話による詐欺被害が生じる可能性を低減することができる。
【００４２】
（電話機制御方法）
続いて、本発明の一実施形態に係る電話機制御方法について、図３を参照しながら、以下に説明する。
【００４３】
図３は、本実施形態に係る電話機制御方法を示すフローチャートである。ステップＳ１からステップＳ７の各ステップについて、以下に説明する。
【００４４】
（ステップＳ１）
最初に、ステップＳ１では、電話機１が通話相手から受電した後に、ユーザが電話機１の通話ボタン（図示せず）をタッチ（押下）して、通話相手との音声通話を接続する。
【００４５】
（ステップＳ２）
続いて、ステップＳ２（特徴量抽出工程）では、先ず、ステップＳ１においてユーザが通話相手との音声通話を接続することによって、音声信号受信部１２が通話相手の音声信号＃ＶＳを受信し、受信した音声信号＃ＶＳを特徴量抽出部１００に送信する。次に、音声信号＃ＶＳを受信した特徴量抽出部１００が、音声信号＃ＶＳから通話相手の個人性特徴量を抽出し、抽出した通話相手の個人性特徴量を類似度算出部１０２に送信する。
【００４６】
（ステップＳ３）
続いて、ステップＳ３（類似度算出工程）では、先ず、ステップＳ２において特徴量抽出部１００が抽出し類似度算出部１０２に送信した通話相手の個人性特徴量と、電話機１が備える記憶部に予め登録済の各登録者（例えば、ユーザの近親者、知人等）の個人性特徴量とを、類似度算出部１０２が比較する。すなわち、類似度算出部１０２は、各登録者について、登録者の個人性特徴量と通話相手の個人性特徴量との類似度（通話相手が登録者である可能性）を算出し、対象登録者に固有のＩＤと、対象登録者について算出した類似度と、を判定部１０４に送信する。
【００４７】
（ステップＳ４）
続いて、ステップＳ４では、ステップＳ３において類似度算出部１０２が対象登録者について算出し、判定部１０４に送信した類似度が、予め定められた類似度（類似度閾値）以下であるか否かを判定部１０４が判定する。判定部１０４が、類似度算出部１０２が対象登録者について算出した類似度が類似度閾値以下であると判定した場合（ステップＳ４におけるＹＥＳ）、すなわち、通話相手が電話機１が備える記憶部に予め登録済の登録者である可能性が低い場合、続くステップＳ５に進む。判定部１０４が、類似度算出部１０２が対象登録者について算出した類似度が類似度閾値より大きいと判定した場合（ステップＳ４におけるＮＯ）、すなわち、通話相手が電話機１が備える記憶部に予め登録済の登録者である可能性が高い場合、後述するステップＳ６に進む。
【００４８】
（ステップＳ５）
続いて、ステップＳ５（切替工程）では、ステップＳ４において、類似度算出部１０２が算出した類似度が類似度閾値以下であると判定部１０４が判定した場合に、切替部１０６が通話相手が電話機１が備える記憶部に予め登録済の登録者である可能性が低いという警告をユーザに報知すると共に、電話機１の通話モードをハンズフリー通話モードに切り替える。
【００４９】
具体的には、（ｉ）切替部１０６が、電話機１が備える振動部（図示せず）を用いて電話機１自体を振動させる。（ｉｉ）切替部１０６は、音声入力部（マイクロフォン）１４の感度をゼロに（すなわち、ミュート）し、電話機１が外部から集音不可能にしたうえで、ハンズフリー通話モードへの移行を音声出力部（スピーカー）２０から自動音声アナウンスする。（ｉｉｉ）切替部１０６は、図２の注意喚起画面を表示部１８に表示するよう表示制御部１０８に対して指示した上で、電話機１の通話モードをハンズフリー通話モードに移行する。
【００５０】
（ステップＳ６）
ステップＳ６では、ステップＳ４において、類似度算出部１０２が算出した類似度が類似度閾値より大きいと判定部１０４が判定した場合、すなわち、通話相手が電話機１が備える記憶部に予め登録済の登録者である可能性が高いと判定した場合、切替部１０６は、電話機１の通話モードをハンズフリー通話モードには切り替えずに、そのままユーザと通話相手との音声通話を続行させる。
【００５１】
（ステップＳ７）
ステップＳ６の処理によりハンズフリー通話モードへの移行が完了すると、ステップＳ７において、切替部１０６は、図３に示す注意喚起画面の一例であるメニュー画面を表示部１８に表示するよう表示制御部１０８に対して指示する。以上の処理によって、ユーザは、表示部１８に表示されているメニュー画面内のメニューボタンを選択することができ、前述の様々な注意喚起画面を閲覧することができる。
【００５２】
（付記事項）
切替部１０６は、類似度算出部１０２が対象登録者について算出した類似度が類似度閾値以下である場合、前述のように、ユーザの所望する任意の時点において音声録音再生部１０６に録音を実行させてもよいが、通話モードがハンズフリー通話モードに自動的に切り替わったことをトリガとして、音声録音再生部１０６に自動的に録音を実行させてもよい。
【００５３】
（まとめ）
本発明の一態様に係る電話機（電話機１）は、通話相手の音声から個人性特徴量を抽出する特徴量抽出手段（特徴量抽出部１００）と、上記特徴量抽出手段によって抽出された個人性特徴量と、登録済の個人性特徴量との類似度を算出する類似度算出手段（類似度算出部１０２）と、ユーザに警告を報知する報知手段（切替部１０６）と、通話モードをハンズフリー通話モードに切り替える切替手段（切替部１０６）と、を備え、上記類似度算出手段によって算出された類似度が、予め定められた類似度以下であるときに、上記報知手段がユーザに警告を報知すると共に、上記切替手段が通話モードをハンズフリー通話モードに切り替えることを特徴としている。
【００５４】
上記のように構成された電話機によれば、上記類似度算出手段によって算出された類似度が、予め定められた類似度以下であるときに、ユーザの意思と関係なく通話モードをハンズフリー通話モードに自動的に切り替える。したがって、電話機を耳元に保持していたユーザは、電話機の状態を確認すべく電話機を視線の先に移動させた上で、通話を続けることになる。また、ユーザは、電話機の状態を確認しようとする気持ちになっているので、警告の報知にも容易に気付くことになる。これにより、ユーザは、通話相手との音声通話を冷静に、且つ、優勢に進めることができる。
【００５５】
したがって、上記のように構成された電話機によれば、通話相手に誘導されてしまい冷静に対応できなくなってしまう、振り込め詐欺等の音声通話による詐欺被害が生じる可能性を低減することができる。
【００５６】
また、上記電話機において、表示部（表示部１８）を更に備えており、上記報知手段は、注意喚起画面を上記表示部に表示させることによってユーザに警告を報知することが好ましい。
【００５７】
上記の構成によれば、上記電話機は、上記類似度算出手段によって算出された類似度が、予め定められた類似度以下であるときに、注意喚起画面を表示部に表示する。そして、
ユーザは、視線の先にある電話機の表示部に表示された注意喚起画面を視認するので、振り込め詐欺等の音声通話による詐欺被害に遭遇しないように注意することができる。
【００５８】
したがって、上記の構成によれば、上記電話機は、通話相手に誘導されてしまい冷静に対応できなくなってしまう、振り込め詐欺等の音声通話による詐欺被害が生じる可能性をより低減することができる。
【００５９】
また、上記報知手段は、上記注意喚起画面内に、詐欺対策マニュアルを表示することが好ましい。
【００６０】
上記の構成によれば、ユーザは、通話相手の意のままに誘導されながら会話をするのではなく、上記注意喚起画面に表示された上記詐欺対策マニュアルを視認することによって、通話相手に対して優勢に会話を進めることができる。
【００６１】
したがって、上記の構成によれば、上記電話機は、通話相手に誘導されてしまい冷静に対応できなくなってしまう、振り込め詐欺等の音声通話による詐欺被害が生じる可能性をより一層低減することができる。
【００６２】
また、上記報知手段は、上記注意喚起画面内に、上記類似度算出手段によって算出された類似度を表示することが好ましい。
【００６３】
上記の構成によれば、ユーザは、上記注意喚起画面に表示された上記類似度を視認することによって、通話相手が予め上記電話機に登録されている登録者ではない可能性の高さを認識することができる。これにより、ユーザは、振り込め詐欺等の音声通話による詐欺被害に遭遇しないよう注意することができる。
【００６４】
したがって、上記の構成によれば、上記電話機は、通話相手に誘導されてしまい冷静に対応できなくなってしまう、振り込め詐欺等の音声通話による詐欺被害が生じる可能性を著しく低減することができる。
【００６５】
また、上記報知手段は、当該電話機を振動させることによってユーザに警告を報知することが好ましい。
【００６６】
上記の構成によれば、視力の弱いユーザであっても、振り込め詐欺等の音声通話による詐欺被害に遭遇しないよう注意することができる。
【００６７】
したがって、上記の構成によれば、上記電話機は、通話相手に誘導されてしまい冷静に対応できなくなってしまう、振り込め詐欺等の音声通話による詐欺被害が生じる可能性を効果的に低減することができる。
【００６８】
また、上記報知手段は、マイク機能をミュートにしたうえで、音声によりユーザに警告を報知することが好ましい。
【００６９】
上記の構成によれば、上記マイク機能をミュートにすることによって、通話相手が予め上記電話機に登録されている登録者ではない可能性があることを、通話相手に気付かれないように、ユーザに対して音声によって報知することができる。これにより、視力の弱いユーザであっても、振り込め詐欺等の音声通話による詐欺被害に遭遇しないように注意することができる。
【００７０】
したがって、上記の構成によれば、上記電話機は、通話相手に誘導されてしまい冷静に対応できなくなってしまう、振り込め詐欺等の音声通話による詐欺被害が生じる可能性をより効果的に低減することができる。
【００７１】
更に、本発明の一形態に係る電話機制御方法は、通話相手の音声から個人性特徴量を抽出する特徴量抽出工程と、上記特徴量抽出工程にて抽出された個人性特徴量と、登録済の個人性特徴量との類似度を算出する類似度算出工程と、ユーザに警告を報知する報知工程と、通話モードをハンズフリー通話モードに切り替える切替工程と、を含み、上記類似度算出工程にて算出された類似度が、予め定められた類似度以下であるときに、上記報知工程にてユーザに警告を報知すると共に、上記切替工程にて通話モードをハンズフリー通話モードに切り替えることを特徴としている。
【００７２】
上記のように構成された電話機制御方法によれば、上記の電話機と同様の効果を奏する。
【００７３】
上記電話機が備えている各手段としてコンピュータを動作させるためのプログラム、および、このようなプログラムを記録しているコンピュータ読取可能な記録媒体も本発明の範疇に含まれる。
【００７４】
（ソフトウェアによる実現例）
電話機１の各ブロック、特に主制御部１０は、集積回路（ＩＣチップ）上に形成された論理回路によってハードウェア的に実現してもよいし、ＣＰＵ(Central Processing Unit)を用いてソフトウェア的に実現してもよい。
【００７５】
後者の場合、電話機１は、各機能を実現するプログラムの命令を実行するＣＰＵ、上記プログラムを格納したＲＯＭ(Read Only Memory)、上記プログラムを展開するＲＡＭ(Random Access Memory)を備えている。更に、電話機１が備える上述の記憶部は、上記プログラムおよび各種データを格納するメモリ等により構成されている。そして、本発明の目的は、上述した機能を実現するソフトウェアである、電話機１の制御プログラムのプログラムコード（実行形式プログラム、中間コードプログラム、ソースプログラム）をコンピュータ読み取り可能に記録した記録媒体を、上記電話機１に供給し、そのコンピュータ（またはＣＰＵやＭＰＵ）が記録媒体に記録されているプログラムコードを読み出し、実行することによっても実現可能である。
【００７６】
上記記録媒体としては、一時的でない有形の媒体、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ(Programmable Logic Device)やＦＰＧＡ(Field Programmable Gate Array)等の論理回路類等を用いることができる。
【００７７】
本発明は、上述した実施の形態に限定されるものではなく、特許請求の範囲において示した範疇において種々の変更が可能であり、異なる実施の形態にそれぞれ開示された技術的手段を適宜組み合わせて得られる実施の形態についても本発明の技術的範疇に含まれる。
【産業上の利用可能性】
【００７８】
本発明は、ハンズフリー通話モードに切替可能な、タッチパネル式ディスプレイを有するスマートフォン等の携帯電話に好適に利用することができる。
【符号の説明】
【００７９】
１                      電話機
１０                    主制御部
１２                    音声信号受信部
１４                    音声入力部（マイク）
１６、１６ａ〜１６ｊ    操作部
１８                    表示部
２０                    音声出力部（スピーカー）
１００                  特徴量抽出部（特徴量抽出手段）
１０２                  類似度算出部（類似度算出手段）
１０４                  判定部（判定手段）
１０６                  切替部（切替手段、報知手段）
１０８                  表示制御部（報知手段）
１１０                  音声録音再生部
＃ＶＳ                  音声信号
＃１６ａ〜＃１６ｊ      信号
【図１】
2014045454.tif 000003
【図２】
2014045454.tif 000004
【図３】
2014045454.tif 000005
【図４】
2014045454.tif 000006
【図５】
2014045454.tif 000007
【図６】
2014045454.tif 000008
【図７】
2014045454.tif 000009
【図８】
2014045454.tif 000010
【図９】
2014045454.tif 000011
【図１０】
2014045454.tif 000012